(57)【要約】本発明はドアおよび窓のためのストッパに関する。このストッパは、高い摩擦係数を有するゴム弾性的なボディから成っており、太くて円い領域と、該領域に接続している、細くて先の尖った領域とを有しており、その際、先の尖った領域が内方に引き寄せられており、ボディの幅が、窓の、垂直な枠と框との間の間隔よりも若干大きく、かつボディがエッジ上で自立できるように、ボディの厚さが寸法設定されている。このようなストッパは多様にドアおよび窓において使用され、窓を種々異なる開放角度で止めることができる。
2005521810.tif 000002
【特許請求の範囲】
【請求項１】
ドアおよび窓のためのストッパにおいて、
ａ）ストッパ（１）が、高い摩擦係数を有するゴム弾性的なボディから成っており、
ｂ）ストッパ（１）が、太くて円い領域（２）と、該領域（２）に接続している、細くて先の尖った領域（３）とを有しており、
ｃ）先の尖った領域（３）が内方に引き寄せられており、
ｄ）ボディ（１）の幅（ｂ）が、窓の、垂直な枠と框との間の間隔よりも若干大きく、
ｅ）ボディがエッジ上で自立できるように、ボディの厚さが寸法設定されている
ことを特徴とするドアストッパおよび窓ストッパ。
【請求項２】
ボディが円盤から切り出された形をしており、その切断面がＳ字形であって、円中心Ｍを通って、接線方向で円の円周へと延びている、請求項１記載のストッパ。
【請求項３】
３．５〜６．５ｃｍ、有利には５ｃｍの半径ｒに応じて、ボディの幅（ｂ）が約７〜１３ｃｍ、有利には１０ｃｍである、請求項１または２記載のストッパ。
【請求項４】
ボディの厚さが約１〜２ｃｍである、請求項１から３までのいずれか１項記載のストッパ。
【請求項５】
Ｓ字形の切断面の深さｔが約２〜３ｃｍである、請求項１から４までのいずれか１項記載のストッパ。
【請求項６】
太い領域（２）が孔を有している、請求項１から５までのいずれか１項記載のストッパ。
【請求項７】
ボディ（１）がシリコーンゴムから成る、請求項１から６までのいずれか１項記載のストッパ。
【請求項８】
ストッパがショア硬さ５０〜８０程度のＥＰＤＭから成る、請求項１から７までのいずれか１項記載のストッパ。
【発明の詳細な説明】
【技術分野】
【０００１】
本発明はドアおよび窓のための新種のストッパに関する。
【０００２】
ドアが例えば突風によって衝撃的に閉鎖されるのを阻止すべき公知のストッパは、ドアの下もしくは窓の間に噛ませるウェッジから成る。
【０００３】
このストッパが有する欠点は、これによって窓を固定することができないという点にある。ドアの場合にこのことが可能であるのは、ウェッジが床と扉板との間で所望の箇所に設置されることができるからであるが、このことは窓の場合にはこのウェッジでは不可能である。
【０００４】
それゆえ、本発明の課題は新種のドアストッパおよび窓ストッパを提供し、背景技術のストッパに比して明らかに多様に使用可能であって、すなわちドアだけではなく窓も大きな旋回範囲で固定することができ、かつ倒し窓も位置固定できるようにすることである。
【０００５】
この課題の解決は、高い摩擦係数を有するゴム弾性的なボディから成っており、太くて円い領域と、該領域に接続している、細くて先の尖った領域とを有しており、その際、先の尖った領域が内方に引き寄せられており、ボディの幅が、窓の、垂直な枠と框との間の間隔よりも若干大きい、ドアおよび窓のためのストッパにより達成される。ボディの厚さはボディがエッジ上で自立できるように寸法設定されている。
【０００６】
そのようなストッパはその空間形状およびゴム弾性的な特性に基づいて多用に使用可能である。
【０００７】
ストッパは相対的に大きなギャップでは横置きに、小さなギャップでは縦置きに使用されることができる。その際、細い延長部はばねとして働き、かつ高い摩擦係数は、ストッパが、平行な壁の間のギャップ内で滑り落ちることがないように働くので、ストッパはベースラインとの接触なしにも使用されることができる。
【０００８】
種々異なる使用可能性が添付の図面に示されている。
【０００９】
ボディの（平面図で見た）形状は有利には円から切り抜かれた形であって、その際の切断面はＳ字形に円中心を通って、円周に向かって接線方向で延びている。２つのこの種のボディはそれゆえ、Ｓ字カーブが対称であれば、組み合わせて１つの円を構成することもできる。その輪郭はよく知られた中国の太極図、つまり陰と陽を表すマークに相当する。
【００１０】
ノーマルな窓サイズおよびドアギャップのために、ボディ幅は約８〜１２ｃｍ、有利には１０ｃｍが適している。このことは４〜６ｃｍの、切り抜かれていない状態のボディの円半径に相当する。
【００１１】
このボディは先端で問題なく３ｃｍほど内方に押し曲げられることができる。狭まって延びる部分の先端を床に置くと、ばねストロークは約１ｃｍであって、その際、高い摩擦係数およびその弾性に基づいて、クランプ作用が頂点においてのみならず、その前後でも発生することが判っている。それゆえ、例えば窓の下、つまり窓の下縁と窓台との間でのポジショニングは正確である必要がない。
【００１２】
ポジショニングは、ストッパが約１〜２ｃｍの厚さを有していることにより簡単化される。その比重（Ｒａｕｍｇｅｗｉｃｈｔ）およびその重心位置に基づき、ストッパはこれにより安定である。
【００１３】
高い破壊安定性を維持したままの、細い延長部の、特に良好なばね作用は、上に記載した円半径において、Ｓ字形の切断面の深さが約２〜３ｃｍである場合に得られる。
【００１４】
本発明によるストッパを製作するために、シリコーンゴム（特に有利にはショア硬さ５０〜８０程度のＥＰＤＭ）が特に適していることが判っている。
【００１５】
この材料は高い安定性と高い摩擦係数とを両立し、この高い摩擦係数は機能上重要な意味を有している。
【００１６】
最後に、太い領域に孔を設けることが提案される。上に述べたように２つのストッパが１つの円盤（ディスク）に合成されるので、これにより、美的な効果が例えば展示時に得られ、しかも、各部は異なる色で彩色され得ることを指摘しておく。ストッパは個別的にまたはグループで、その機能を超えた驚くべき遊び効果をも備えている。
【００１７】
望まれるならば、特に大きなドアウイングまたは窓ウイングの固定がもちろん両側から２つのストッパにより実施されてもよい。
【００１８】
以下に図面を参照しながら、本発明の実施例について詳説する。
【００１９】
図１には、本発明によるストッパ１が示されている。ストッパ１はＭを中心とした半径ｒの円からＳ字カーブｋに沿って切り出された形状を有している。そのＳ字カーブの変曲点は円中心ｍである。
【００２０】
ストッパ１はゴム弾性的なプラスチック、有利にはシリコーンゴムから成っており、それに応じて高い摩擦係数を有している。一般的な窓寸法において使用されるためには、半径ｒは〜５ｃｍであり、Ｓ字形の切断面の深さは〜３ｃｍであるので、幅ｂが２ｒに等しい場合、高さｈは約６〜５ｃｍである。
【００２１】
これにより、相対的に太くて円い領域２を備えたボディが生ぜしめられ、この太くて円い領域２に、先端が尖っていて一方向に湾曲している細い領域、つまりこれにより良好に撓曲する領域３が接続している。
【００２２】
相対的に太い領域には、孔が穿設されていることができ、孔はピンまたはこれに類するもののための通し案内部として役立つことができる。ストッパの材料は特にショア硬さ５０〜８０のＥＰＤＭである。
【００２３】
図２には、開き窓式の窓６が内枠４と外枠５との間で開放維持された状態で示されており、窓６はそのヒンジ７を中心に当接面（戸当たり）にまで開放されている。
【００２４】
ストッパはこの間で任意の高さに挟入可能である。細い領域２のばね作用はストッパを窓１の両条片に押し付け、その高い摩擦係数はストッパをこの位置に保持する。その際、窓は当接面に対して緊張させられている。倒し窓の場合、ストッパは同様の形式で横置きにまたは幅の狭い面を下にして、つまり縦置きに外枠と内枠との間の楔形のギャップ内に挟入される。
【００２５】
図３には、窓台８上に置かれたストッパ１が示されている。窓の内枠４をストッパ１に向けて動かすと、接触後に、細い領域３がばね弾性的に撓み、ストッパが下方から内枠４に対して圧着され、摩擦により保持される。これにより初めて、「半」開放位置においても、窓が不意に閉じることのないように位置固定することが可能である。
【００２６】
図４には、ドア９の位置固定が示されている。ストッパは先の尖った細い領域３でもって扉板の下に押し込まれている。
【００２７】
この場合、前記領域３のウェッジ形状が利用される。
【００２８】
クランプ作用は、領域３を持ち上げようとする、外側に位置する重心により補助される。
【図面の簡単な説明】
【００２９】
【図１】ストッパの平面図である。
【図２】開き窓における枠部分間での使用を示す図である。
【図３】窓台での窓の挟持を示す図である。
【図４】ドアの位置固定を示す図である。
【図１】
2005521810.tif 000003
【図２】
2005521810.tif 000004
【図３】
2005521810.tif 000005
【図４】
2005521810.tif 000006
【国際調査報告】
2005521810.tif 000007
2005521810.tif 000008
2005521810.tif 000009
2005521810.tif 000010
2005521810.tif 000011
2005521810.tif 000012